(57)【要約】【課題】  換気にも防虫用にも利用でき、構造がコンパクトで加工性、組付性にすぐれ、大がかりな開閉駆動機構を必要とせず、又、ドアにも適用でき、特にミニハウスの使用に適する温室の換気装置を提供する。【解決手段】  温室Ａの妻面，側面又は屋根面の開口部の周囲に固定した窓枠１と、窓枠１の一側に定着したシート２と、同じく窓枠１の他側に上記シート２と対向して定着した一対のガイドフレーム４，４と、ガイドフレーム４，４の内側にスライド自在に挿入されて上記シート２と防虫網３とに選択的に対向する開閉板５とからなることを特徴とする。【選択図】        図２
2007014221.tif 000002
【特許請求の範囲】
【請求項１】
温室Ａの妻面、側面又は屋根面の開口部の周囲に固定した窓枠１と、窓枠１の一側に定着したシート２と、同じく窓枠１の他側に上記シート２と対向して定着した防虫網３と、上記窓枠１の外面に固定した一対のガイドフレーム４，４と、ガイドフレーム４，４の内側にスライド自在に挿入されて上記シート２と防虫網３とに選択的に対向する開閉板５とからなることを特徴とする温室の換気装置。
【請求項２】
開閉板５の外面につまみ６を設け、窓枠１の端部に引掛部材７を設け、つまみ６を介して手動で開閉板５をスライドさせて開閉操作をすると共に開閉板５の全開時に当該つまみ６を引掛部材７に引掛けることを特徴とする請求項１に記載の温室の換気装置。
【請求項３】
開閉板５の両端にそれぞれ牽引用ワイヤ８，９の一端部を結合し、当該各牽引用ワイヤ８，９を窓枠１又はガイドフレーム４に設けたシーブ１０，１１，１２，１３に巻き付けながら遠隔的に他端部を引張って開閉板５を開閉操作することを特徴とする請求項１に記載の温室の換気装置。
【請求項４】
窓枠１が左右一対の蟻溝フレーム１４，１５と上下一対の蟻溝フレーム１６，１７と、中央の蟻溝フレーム１８とからなり、ガイドフレーム４，４が上記左右の蟻溝フレーム１４，１５の外面にそれぞれ重ねて結合する長尺フレーム１９，２０と、当該長尺フレーム１９，２０の内側に縦方向に沿って形成したガイド溝２１、２１とからなり、左右，上部、中間の各蟻溝フレーム１４，１5，１６，１８に係止線条２２を介してシート２の外周を定着し、同じく左右，下部，中間の各蟻溝フレーム１４，１５，１７，１８に係止線条２２を介して防虫網３の外周を定着し、上記ガイド溝２１，２１内に開閉板５の左右両端をスライド自在に挿入させていることを特徴とする請求項１，２又は３に記載の温室の換気装置。
【請求項５】
温室Ａの妻面又は側面に開閉自在に設けたドア枠Ｂと、ドア枠Ｂの上側に定着したシート２と、同じくドア枠Ｂの下側に上記シート２と対向して定着した防虫網３と、上記ドア枠Ｂの外面に固定した左右一対のガイドフレーム４、４と、ガイドフレーム４，４の内側に上下スライド自在に挿入されて上記シート２と防虫網３とに選択的に対向する開閉板５とからなることを特徴とするドアを兼ねた温室の換気装置。
【請求項６】
開閉板５の外面につまみ６を設け、ドア枠Ｂの上端部に引掛部材７を設け、つまみ６を介して手動で開閉板５をスライドさせて開閉操作すると共に開閉板５の全開時に当該つまみ６を引掛部材７に引掛けることを特徴とする請求項５に記載のドアを兼ねた温室の換気装置。
【請求項７】
ドア枠Ｂが左右一対の蟻溝フレーム２３，２４と、上下一対の蟻溝フレーム２５，２６と、中間の一つ又は複数の蟻溝フレーム２７とからなり、ガイドフレーム４，４が上記左右の蟻溝フレーム２３，２４の外面にそれぞれ重ねて結合する長尺フレーム１９，２０と、当該長尺フレーム１９，２０の内側に縦方向に沿って形成したガイド溝２１，２１とからなり、左右，上部，中間の各蟻溝フレーム２３，２４，２５，２７に係止線条２２を介してシート２の外周を定着し、同じく左右，下部，中間の各蟻溝フレーム２３，２４，２６，２７に係止線条２２を介して防虫網３の外周を定着し、上記ガイド溝２１，２１内に開閉板５の左右両端を上下スライド自在に挿入させていることを特徴とする請求項５又は６に記載のドアを兼ねた温室の換気装置。
【発明の詳細な説明】
【技術分野】
【０００１】
本発明は、ビニールハウス等の温室の妻面，側面又は屋根面に形成した温室の換気装置に関し、特に、ドアとしても適用できる温室の換気装置に関する。
【背景技術】
【０００２】
一般に、ビニールハウス等の温室内は、育成する植物に対して温度や湿度をその植物に適した値に設定する必要があり、このため、従来は、ビニールハウスの妻面，側面又は屋根面に換気装置を設け、この換気装置を開閉してビニールハウス内の空気を換気させながら適当な温度や湿度に設定している。
【０００３】
他方、上記換気装置では、この換気装置を開いた時、開口部から害虫がビニールハウス内に侵入するのを防止したり、又は、ビニールハウス内で飼育している蜜蜂等が開口部から外部に逃げるのを防止する網を展張する場合もある。
【０００４】
上記の換気装置としては、例えば、特許文献１、特許文献２、特許文献３に開示されたタイプのものが一般的である。
【０００５】
特許文献１に示す換気装置は、ビニールハウスたる温室の屋根面に設けた窓枠と、窓枠に対向して開閉自在に設けた換気窓と、換気窓の開閉駆動機構とからなるものである。
【０００６】
特許文献２に示す換気装置は、温室の屋根面又は側面に設けた開口部と、この開口部を開閉するシートと、このシートを引き上げ又は引き降すシートの開閉駆動機構とからなるものである。
【０００７】
又、特許文献３に示す換気装置は、ガラスハウス等の温室における屋根面の開口部に設けたガイドレールと、このガイドレールにスライド自在に保持した天窓と、この天窓を開閉する駆動機構とからなるものである。
【特許文献１】特開２００５‐６５１６号公報（図面）
【特許文献２】特開平１０-２９５１９９号公報（図面）
【特許文献３】特開２００３-１５３６３４号公報（図面）
【発明の開示】
【発明が解決しようとする課題】
【０００８】
上記の各特許文献１，２，３に開示されている換気装置は、機能上特に欠陥があるわけでは無いが、次のような不具合の改善が望まれている。
【０００９】
第１に、上記の各特許文献１，２，３に示す換気装置は、全体的に構造が複雑であり、特に、開閉駆動機構が電気的又は機械的に大がかりな装置からなるものであるから、加工性，組付性，経済性において不利である。
【００１０】
第２に、換気装置を開いた時、開口部から害虫が侵入したり、飼育している蜜蜂が外部に逃げてしまうおそれがあるり、これを防止するには開口部に対向して別に網を展張する必要があるが、この網を展張する機構が必要であり、場合によっては、この網が開閉駆動機構と干渉してしまい、網を展張する設計が困難となる。
【００１１】
第３に、最近は、狭い場所でも花，野菜を栽培できる家庭用のミニハウスの需要が多くなり、温室の小型化が流行出しているが、このミニハウスでは換気装置を設置する面積が小さく、上記のような大型で構造の複雑なものは取り付けできず、簡易の換気装置の開発が望まれている。
【００１２】
第４に、従来のビニールハウス、特に、ミニハウスでは作業者が出入りするドアが妻面に設けられているが、このドアはもっぱら作業者の出入りにのみに利用され、これを開いた時は換気にも利用できるが、開いたままにしておくと害虫が侵入したり、飼育中の蜜蜂が逃げてしまい、このドアの有効利用の開発が望まれている。
【００１３】
そこで、本発明の目的は、換気にも防虫用にも利用でき、構造がコンパクトで加工性，組付性にすぐれ、大がかりな開閉駆動機構を必要とせず、又、ドアにも適用でき、特に、ミニハウスの使用に適する温室の換気装置を提供することである。
【課題を解決するための手段】
【００１４】
上記の目的を達成するため、本発明の手段は、温室の妻面，側面又は屋根面の開口部の周囲に固定した窓枠と、窓枠の一側に定着したシートと、同じく窓枠の他側に上記シートと対向して定着した防虫網と、上記窓枠の外面に固定した一対のガイドフレームと、ガイドフレームの内側にスライド自在に挿入されて上記シートと防虫網とに選択的に対抗する開閉板とからなることを特徴とするものである。
【００１５】
この場合、開閉板の外面につまみを設け、窓枠の端部に引掛部材を設け、つまみを介して手動で開閉板をスライドさせて開閉操作をすると共に開閉板の全開時に当該つまみを引掛部材に引掛けるようにしても良い。
【００１６】
同じく、開閉板の両端にそれぞれ牽引用ワイヤの一端部を結合し、当該各牽引用ワイヤを窓枠又はガイドフレームに設けたシーブに巻き付けながら遠隔的に他端部を引張って開閉板を開閉操作するようにしても良い。
【００１７】
同じく、窓枠が左右一対の蟻溝フレームと上下一対の蟻溝フレームと、中央の蟻溝フレームとからなり、ガイドフレームが上記左右の蟻溝フレームの外面にそれぞれ重ねて結合する長尺フレームと、当該長尺フレームの内側に縦方向に沿って形成したガイド溝とからなり、左右，上部，中間の各蟻溝フレームに係止線条を介してシートの外周を定着し、同じく左右，下部、中間の各蟻溝フレームに係止線条を介して防虫網の外周を定着し、上記ガイド溝内に開閉板の左右両端をスライド自在に挿入させているのが好ましい。
【００１８】
同じく、他の手段は、温室の妻面又は側面に開閉自在に設けたドア枠と、ドア枠の上側に定着したシートと、同じくドア枠の下側に上記シートと対向して定着した防虫網と、上記ドア枠の外面に固定した左右一対のガイドフレームと、ガイドフレームの内側に上下スライド自在に挿入されて上記シートと防虫網とに選択的に対向する開閉板とからなることを特徴とするものである。
【００１９】
この場合、開閉板の外面につまみを設け、ドア枠の上端部に引掛部材を設け、つまみを介して手動で開閉板をスライドさせて開閉操作すると共に開閉板の全開時に当該つまみを引掛部材に引掛けるようにしても良い。
【００２０】
同じく、ドア枠が左右一対の蟻溝フレームと、上下一対の蟻溝フレームと、中間の一つ又は複数の蟻溝フレームとからなり、ガイドフレームが上記左右の蟻溝フレームの外面にそれぞれ重ねて結合する長尺フレームと、当該長尺フレーム内側に縦方向に沿って形成したガイド溝とからなり、左右，上部，中間の各蟻溝フレームに係止線条を介してシートの外周を定着し、同じく左右，下部，中間の各蟻溝フレームに係止線条を介して防虫網の外周を定着し、上記ガイド溝内に開閉板の左右両端を上下スライド自在に挿入させているのが好ましい。
【発明の効果】
【００２１】
本発明によれば、次の効果が得られる。
【００２２】
（１）各請求項の発明によれば、シートとこれに対抗する防虫網を設けているので、開閉板をシート側にスライドした時防虫網を介して温室内を換気でき、この時開閉板が開いていても防虫網により害虫が侵入したり、温室内に飼育している蜜蜂が外部に逃げるのを防止できる。
【００２３】
（２）同じく、ガイドフレームに開閉板をスライド自在に挿入しただけであるから、この開閉板の開閉操作は手動でも行え、複雑な電気的，機械的な開閉機構を必要としないので加工性，組付性が向上し、経済性にもすぐれている。
【００２４】
（３）同じく、部材としては窓枠又はドア枠と、シートと、防虫網と、一対のガイドフレームと、開閉板とからなるものであるから、全体の構造がコンパクトでシンプルであるからミニハウスのような狭い設置スペースしか有しない場合でも設置可能となる。
【００２５】
（４）請求項２，６の発明によれば、つまみを介して手動で開閉板の開閉操作ができ、つまみを引掛部材に引掛けておけば、開閉板を開いた状態に保持できる。
【００２６】
（５）同じく請求項３の発明によれば、牽引用ワイヤを介して手動で遠隔的に開閉板の開閉操作が簡単且つスピーディーに行え、構造も簡単で加工性，組付性にもすぐれている。
【００２７】
（６）請求項４，７の発明によれば、シートと防虫網が係止線条で簡単に定着でき、しかもガイドフレームが蟻溝フレームの外面に重ねて結合されているので外部から係止線条やシートと防虫網の定着部分が見えず、化粧されて外観が美しくなるばかりが、係止線条に他の物体が引掛けられるのを防止できる。
【００２８】
（７）請求項５の発明によれば、換気装置がドアを兼ねているので、ドア以外の狭い場所に換気装置を設ける必要が無く、ドアの有効利用が図れ、しかも、ドアの加工時に同時に換気装置も加工，組付でき、換気装置とドアとを別々に加工，組付ける場合に比較して部品点数が少なく、加工作業，組付作業が著しく向上し、ハウスの加工コストの大巾なダウンを図れる。
【発明を実施するための最良の形態】
【００２９】
以下、本発明の実施の形態を図にもとづいて説明する。
【００３０】
図１乃至図３は、請求項１の発明に係る実施の形態を示し、これは、ビニールハウス等の温室Ａの妻面に設置した換気装置を示す。
【００３１】
即ち、この換気装置Ｐは、図２，図３に示すように、温室Ａの妻面の開口部の周囲に固定した窓枠１と、窓枠１の一側に定着した透明又は半透明なシート２と、同じく窓枠１の他側に上記シート２と対向して定着した防虫網３と、上記窓枠１の外面に固定した一対のガイドフレーム４，４と、ガイドフレーム４，４の内側にスライド自在に挿入されて上記シート２に防虫網３とに選択的に対向する透明又は半透明な開閉板５とからなるものである。
【００３２】
上記シート２や開閉板は、透明又は半透明に限定されるものではなく、又材質は合成樹脂、ガラス材であっても良い。
【００３３】
窓枠１は、妻面を構成する骨組たるパイプ２８に金具３０を介して固定し、この窓枠１は、開口部Ｃに対向させ、開閉板５をつまみ６を介して外部から開閉操作するようになっている。
【００３４】
即ち、開閉板５の外面につまみ６を設け、窓枠１の端部に引掛部材７を設け、つまみ６を介して手動で開閉板５をスライドさせて開閉操作をすると共に開閉板５の全開時に当該つまみ６を引掛部材７に引掛けるものである。
【００３５】
この場合、開閉板５をシート２側に引き上げた時防虫網３の網目を介して換気が可能となり、開閉板５を防虫網３側に引き下げた時開口部Ｃが遮断される。
【００３６】
窓枠１は、左右一対の蟻溝フレーム１４，１５と上下一対の蟻溝フレーム１６，１７と、中央の蟻溝フレーム１８とで矩形に構成されている。
【００３７】
ガイドフレーム４，４は、上記左右の蟻溝フレーム１４，１５の外面にそれぞれ重ねてピン２９で結合する長尺フレーム１９，２０と、当該長尺フレーム１９，２０の内側に縦方向に沿って形成したガイド溝２１，２１とで構成され、左右，上部，中間の各蟻溝フレーム１４，１５，１６，１８に係止線条２２を介してシート２の外周を定着し、同じく左右，下部，中間の各蟻溝フレーム１４，１５，１７，１８に係止線条２２を介して防虫網３の外周を定着し、上記ガイド溝２１，２１内に開閉板５の左右両端をスライド自在に挿入されている。
【００３８】
引掛部材７は、上部の蟻溝フレーム１６に引掛けた引掛け金具７ａとこの引掛け金具７ａに吊り下げたひも７ｂとからなり、開閉板５を引き上げた時このひも７ｂにつまみ６を引掛けて開閉板５が下方に下降しないようにしている。
【００３９】
この状態では防虫網３を介して開口部Ｃが開いており、継続して換気を維持できるようになっている。
【００４０】
上記の換気装置Ｐは、温室Ａの妻面における比較的狭い面積であるドアＤＲの片側又は両サイドに設け、地表に近いハウスの下方で換気を行えるようにしたものである。
【００４１】
しかし、この換気装置Ｐは、コンパクトでシンプルであるから、妻面におけるドアＤＲの上方に配置しても良く、あるいは、ハウスの屋根面，側面にも設けることもでき、更に、全体がコンパクトであることに鑑みてドアＤＲ自体に組み込むこともできる。
【００４２】
例えば、図４乃至図７は、妻面におけるドアＤＲの上方に配設した実施の形態を示し、図８，図９は、ハウスの屋根面に配設した実施の形態を示し、図１０乃至図１２は、ドアＤＲ内に組み込んだ場合の実施の形態を示す。
【００４３】
各実施の形態に係る換気装置Ｐの基本的構成は、上記した図１，図２の実施の形態と同じである。
【００４４】
即ち、図４乃至図９に示す妻面側又は屋根面側の換気装置Ｐの基本的構成は、温室Ａの側面又は屋根面の開口部の周囲に固定した横置きの窓枠１と、窓枠１の一側に定着したシート２と、同じく窓枠１の他側に上記シート２と対向して定着した防虫網３と、上記窓枠１の外面に固定した一対のガイドフレーム４，４と、ガイドフレーム４，４の内側に左右スライド自在に挿入されて上記シート２と防虫網３とに選択的に対向する開閉板５とからなるものである。
【００４５】
更に、開閉板５の外面につまみ６を設け、つまみ６を介して手動で開閉板５を左右にスライドさせて開閉操作をするものである。
【００４６】
この場合、温室Ａが大型で換気装置Ｐが地上より高い位置にある場合は、上記のつまみ６に代えて地上からワイヤ８，９を介して遠隔的に開閉操作しても良い。
【００４７】
即ち、開閉板５の両端にそれぞれ牽引用ワイヤ８，９の一端部を結合し、当該各牽引用ワイヤ８，９を窓枠１又はガイドフレーム４に設けたシーブ１０，１１，１２，１３に巻き付けながら遠隔的に他端部を引張って開閉板５を開閉操作する。
【００４８】
例えば、図７（ａ）に示すように、ワイヤ８を下方に引張ると開閉板５が矢印Ｙ方向に沿ってスライドして防虫網３側に移動して開口部を閉じ、図７（ｂ）に示すように、他方のワイヤ９を下方に引張ると開閉板５が矢印Ｘ方向にスライドしてシート２側に移動して防虫網３を介して開口部を開くものである。
【００４９】
図４に示す妻面上部の換気装置Ｐは、窓枠１を横置きにしたものであるが、図８に示す屋根面側に配置した換気装置Ｐは、窓枠１を開口部に対して縦置きに配設したものである。
【００５０】
この場合も、開閉板５の両端部に結合した牽引用ワイヤ８，９とシーブ１０，１０ａ，１０ｂ，１２，１３を介して開閉板５を上下にスライドさせて開閉操作を行うものである。
【００５１】
その他の構造，作用，効果は、図１，図２の実施の形態と同じであるので、同一の部材は、同一の符号を付すことで詳細は省略する。
【００５２】
次に、図１０乃至図１２に基づいて本発明に係る換気装置ＰをドアＤＲに組み込んだ場合の実施の形態を説明するが、この場合は、上記の実施の形態における窓枠１をドア枠Ｂに適用したもので、その他の基本的構成，作用，効果は、上記の実施の形態と同じである。
【００５３】
即ち、このドアＤＲを兼ねた換気装置Ｐは、温室Ａの妻面又は側面に開閉自在に設けたドア枠Ｂと、ドア枠Ｂの上側に定着したシート２と、同じくドア枠Ｂの下側に上記シート２と対向して定着した防虫網３と、上記ドア枠Ｂの外面に固定した左右一対のガイドフレーム４，４と、ガイドフレーム４，４の内側にスライド自在に挿入されて上記シート２と防虫網３とに選択的に対向する開閉板５とからなるものである。
【００５４】
更に、図１２に示すように開閉板５の外面につまみ６を設け、ドア枠Ｂの上端部に引掛部材７を設け、つまみ６を介して手動で開閉板５を上下にスライドさせて開閉操作すると共に開閉板５の全開時に当該つまみ６を引掛部材７に引掛けるようにしている。
【００５５】
ドア枠Ｂは、左右一対の蟻溝フレーム２３，２４と、上下一対の蟻溝フレーム２５，２６と、中間の一つ又は複数の蟻溝フレーム２７とからなっている。
【００５６】
ガイドフレーム４，４は、上記左右の蟻溝フレーム２３，２４の外面にそれぞれ重ねて結合する長尺フレーム１９，２０と、当該長尺フレーム１９，２０の内側に縦方向に沿って形成したガイド溝２１，２１とからなっている。
【００５７】
そして、左右，上部，中間のかく蟻溝フレーム２３，２４，２５，２７に係止線条２２を介してシート２の外周を定着し、同じく左右，下部，中間の各蟻溝フレーム２３，２４，２６，２７に係止線条２２を介して防虫網３の外周を定着し、上記ガイド溝２１，２１内に開閉板５の左右両端を上下スライド自在に挿入させている。
【００５８】
ドア枠Ｂは、上下一対のガイドレール３１，３２に沿って左右スライド自在に保持されている。
【００５９】
即ち、ドア枠Ｂの上部は、当該ドア枠Ｂの上側に設けたローラ３３を介して上部ガイドレール３１のガイド溝３４にスライド自在に嵌合し、ドア枠Ｂの下部は、下側ガイドレール３２のガイド溝３５内に左右スライド自在に保持されている。
【００６０】
従って、ドアＤＲは、ガイドレール３１，３２に沿ってスライドさせて開閉させることにより作業者が出入りできるようになっている。
【００６１】
そして、ドアＤＲを閉じている状態で開閉板５を上下にスライドさせることにより防虫網３の部分を開閉し、開いた時網目を介して換気を行うようにしている。その他の構成，作用，効果は、上記した各実施の形態の場合と同じである。
【図面の簡単な説明】
【００６２】
【図１】温室の妻面の両サイドに配置させた換気装置の斜視図である。
【図２】図１の換気装置の拡大斜視図である。
【図３】図２の分解斜視図である。
【図４】温室の妻面上部に横置きに配設した換気装置の斜視図である。
【図５】図４の拡大斜視図である。
【図６】図５の分解斜視図である。
【図７】（Ａ）（Ｂ）は図４の換気装置の開閉状態を示す略示斜視図である。
【図８】温室の屋根面に配設した換気装置の斜視図である。
【図９】図８の拡大斜視図である。
【図１０】温室のドアに組込んだ換気装置の斜視図である。
【図１１】図１０の拡大斜視図である。
【図１２】図１１の分解斜視図である。
【符号の説明】
【００６３】
１  窓枠
２  シート
３  防虫網
４  ガイドフレーム
５  開閉板
６  つまみ
７  引掛部材
８，９  牽引用ワイヤ
１０，１１，１２，１３  シーブ
１４，１５，１６、１７，１８  蟻溝フレーム
１９，２０  長尺フレーム
２２  係止線条
Ａ  温室
Ｂ  ドア枠
Ｐ  換気装置
ＤＲ  ドア
【図１】
2007014221.tif 000003
【図２】
2007014221.tif 000004
【図３】
2007014221.tif 000005
【図４】
2007014221.tif 000006
【図５】
2007014221.tif 000007
【図６】
2007014221.tif 000008
【図７】
2007014221.tif 000009
【図８】
2007014221.tif 000010
【図９】
2007014221.tif 000011
【図１０】
2007014221.tif 000012
【図１１】
2007014221.tif 000013
【図１２】
2007014221.tif 000014